(57)【要約】【課題】体重の重い寝たきりの着用者に装着・取り外しを繰り返しても、毛羽立ちが発生しにくく、毛羽が衣服や布団に付着しにくい使い捨ておむつを提供するものである。【解決手段】トップシート２と、トップシート２の外表面側に配設されたバックシート３と、これら両シートの間に介在する吸収体４とを有する使い捨て紙おむつ１であって、バックシート３の外表面側に不織布からなるカバーシート５が配設され、カバーシート５の外表面にエンボス加工が施された使い捨ておむつ１。【選択図】図２
2007029612.tif 000002
【特許請求の範囲】
【請求項１】
トップシートと、前記トップシートの外表面側に配設されたバックシートと、これら両シートの間に介在する吸収体とを有する使い捨て紙おむつであって、
前記バックシートの外表面側に不織布からなるカバーシートが配設され、前記カバーシートの外表面にエンボス加工が施された使い捨ておむつ。
【請求項２】
前記カバーシートがスパンボンド不織布からなる請求項１に記載の使い捨ておむつ。
【請求項３】
前記カバーシートの目付が１０〜３０ｇ／ｍ2の範囲である請求項１又は２に記載の使い捨ておむつ。
【請求項４】
前記カバーシートのエンボス面積率が５〜２０％の範囲である請求項１〜３のいずれかに記載の使い捨ておむつ。
【請求項５】
前記カバーシートのエンボス加工が施された領域が、おむつ臀部領域である請求項１〜４のいずれかに記載の使い捨ておむつ。
【請求項６】
テープ型おむつである請求項１〜５のいずれかに記載の使い捨ておむつ。
【請求項７】
パンツ型おむつである請求項１〜５のいずれかに記載の使い捨ておむつ。
【発明の詳細な説明】
【技術分野】
【０００１】
本発明は使い捨ておむつに関するものであり、特に、カバーシートのおむつ臀部等の使用時に擦れる領域の毛羽立ちを抑え、快適に使用できる使い捨ておむつに関するものである。
【背景技術】
【０００２】
一般に、使い捨ておむつは、トップシートと、バックシートと、これら両シートの間に介在する吸収体とから基本的に構成され、このおむつ本体の後身頃の両側縁部にファスニングテープを配置し、前身頃の外側面に前記ファスニングテープを止着するためのフロントテープを配置した、いわゆるテープ型おむつと、おむつ本体の前身頃と後身頃の相対する両側縁部を接合してウエスト周り開口部と脚周り開口部を形成し、各開口部に沿って伸縮材を配置した、いわゆるパンツ型おむつがあり、その用途に応じて様々な形態のものが提案されており、乳幼児から成人失禁者まで広く使用されている。
【０００３】
さらに、最近では、おむつ外面の風合いを改善するために、バックシートの外表面側に、不織布からなるカバーシートを配置した使い捨ておむつが広く使用されるようになっている。しかし、カバーシートを配置した使い捨ておむつを体重の重い寝たきりの成人が着用した場合には、装着と取り外しを繰り返して行う際に、着用者の体重がおむつに掛かった状態でおむつを引き抜くために、おむつ臀部のカバーシートがこすれて毛羽立ち、その毛羽が衣服や布団に付着し、取り除くのが大変になるという問題がある。
【０００４】
一般に、不織布は、連続もしくは非連続の繊維を熱により融着させて、シートを形成する。融着の一方法として、熱エンボスの使用がある。熱エンボス処理により、不織布はエンボス面とプレーン面を有するものとなる。ただし、ＳＭＳ（スパンボンド／メルトブロー／スパンボンド）やＳＭＭＳ（スパンボンド／メルトブロー／メルトブロー／スパンボンド）のようにメルトブローをスパンボンドで挟んでシートを形成する場合、シート両面がエンボス面となることもある。使い捨ておむつを構成するシートにも、このような熱エンボス処理により形成された不織布が使用されることがある（例えば、特許文献１参照）。特許文献１には、ファスニングテープをトップシートとバックシートの間に強固に接着することを目的として、エンボス面とプレーン面を有するトップシート、バックシート及びファスニングテープを用いて、トップシートとバックシート、もしくはトップシートとファスニングテープのプレーン面同士を対向するように配置して接着した使い捨ておむつが開示されている。
【特許文献１】特開２００４−２１５６９４号公報
【発明の開示】
【発明が解決しようとする課題】
【０００５】
しかしながら、上記特許文献１には、カバーシートの毛羽立ちを改善することについては何等記載されていない。本発明は、カバーシートを配置した使い捨ておむつの有する問題点を克服し、体重の重い寝たきりの着用者に装着と取り外しを繰り返しても、毛羽立ちが発生しにくく、毛羽が衣服や布団に付着することを抑制可能な使い捨ておむつを提供するものである。
【課題を解決するための手段】
【０００６】
上記従来のカバーシートを有する使い捨ておむつの問題点を解決するため、本発明によって以下の使い捨ておむつが提供される。
【０００７】
［１］  トップシートと、前記トップシートの外表面側に配設されたバックシートと、これら両シートの間に介在する吸収体とを有する使い捨て紙おむつであって、前記バックシートの外表面側に不織布からなるカバーシートが配設され、前記カバーシートの外表面にエンボス加工が施された使い捨ておむつ。
【０００８】
［２］  前記カバーシートがスパンボンド不織布からなる［１］に記載の使い捨ておむつ。
【０００９】
［３］  前記カバーシートの目付が１０〜３０ｇ／ｍ2の範囲である［１］又は［２］に記載の使い捨ておむつ。
【００１０】
［４］  前記カバーシートのエンボス面積率が５〜２０％の範囲である［１］〜［３］のいずれかに記載の使い捨ておむつ。
【００１１】
［５］  前記カバーシートのエンボス加工が施された領域が、おむつ臀部領域である［１］〜［４］のいずれかに記載の使い捨ておむつ。
【００１２】
［６］  テープ型おむつである［１］〜［５］のいずれかに記載の使い捨ておむつ。
【００１３】
［７］  パンツ型おむつである［１］〜［５］のいずれかに記載の使い捨ておむつ。
【発明の効果】
【００１４】
本発明の使い捨ておむつは、バックシートの外表面側に、不織布からなるカバーシートが配設され、そのカバーシートの外表面にエンボス加工が施されたものである。このような構成を有する本発明の使い捨ておむつは、カバーシートのエンボス加工を施した面の繊維間強度が強くなっているため、これを体重の重い寝たきりの人が着用する場合に、装着と取り外しを繰り返して行っても、おむつ臀部等の使用時に頻繁に擦れる領域であっても、カバーシートが擦れて毛羽立ちが発生することを抑制でき、毛羽が衣服や布団に付着するという問題を軽減することができる。
【発明を実施するための最良の形態】
【００１５】
以下、本発明を実施するための最良の形態を具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００１６】
本発明の使い捨ておむつは、最外層としてカバーシートを有するものであればテープ型おむつ及びパンツ型おむつの双方に適用することができる。以下、テープ型おむつの場合について説明する。
【００１７】
（１）テープ型おむつ
図１は、本発明の使い捨ておむつをトップシート側から見た一部切り欠き展開平面図である。図１において、使い捨ておむつ１は、トップシート２と、バックシート３と、両シートの間に介在する吸収体４とから基本的に構成されており、バックシート３の外表面側には不織布からなるカバーシート５が配置されている。使い捨ておむつ１の後身頃６の両側縁部にはファスニングテープ７が配置され、前身頃８のカバーシート５の外側面に配置されたフロントテープ９にファスニングテープ７を止着することにより、おむつを着用者に装着・固定することができる。おむつの股下部１０の吸収体４の両側縁外側の脚周り開口部に沿って、複数本の糸ゴムからなる伸縮材１１が配置され、着用時に脚周りからの排泄物の漏れを防止する仕組みになっている。また、トップシート２の内表面側に、更に尿取りパッド（図示せず。）を有してもよい。
【００１８】
図２は、図１における使い捨ておむつ１をＸ−Ｘ'線に沿って切断した状態を示す断面図である。図２において、トップシート２とバックシート３の間に吸収体４が配置され、さらに、バックシート３の外表面側には、一方の面（外表面）にエンボス加工が施されたカバーシート５が、エンボス面１４をおむつの外側にして配置されている。さらに、吸収体４の両側縁外側にはおむつの両側縁部から吸収体４の両側縁部にかけて配置されたサイドシート１２の一部分によって一対の立体ギャザー１３が形成されている。サイドシート１２はトップシート２のサイド部分であり、本実施形態においては、トップシート２は２枚のサイドシート１２とそのサイドシート１２の間に配設されるセンターシート１５とから形成されている。ここで、各シートにおいて外表面というときは、おむつを使用者に装着したときに外側を向く面をいい、内表面というときは、使用者の体側を向く面をいう。
【００１９】
図１に示すように、ファスニングテープ７が配置されているサイドフラップ部分４６には、バックシート３が配置されていないことが好ましい。サイドフラップ部分４６を不織布のみで構成することで、通気性を良くし、好適に使用することができる。
【００２０】
また、サイドフラップ４６を構成するサイドシート１２にエンボス面とプレーン面とを有する不織布を配設してもよい。この際、サイドシート１２は、プレーン面を肌当て面に配置する方が好ましい。また、ファスニングテープ７にメカニカルファスナーを使用する場合、サイドシート１２の肌当て面がプレーン面である方が、シートの表面が毛羽立ちやすいため、ファスニングテープ７の凸材をサイドシート１２に仮止めし易いなどの利点もある。
【００２１】
更に、サイドフラップ４６に配置されたファスニングテープ７は、サイドシート１２とカバーシート５との間に配置してもよいが、カバーシート５の外表面側に配置してもよいし、サイドシート１２の内表面側に配置してもよい。また、ファスニングテープ７の貼り付け部分が二股に分かれるように形成して、カバーシート５とサイドシート１２との両方を外側から挟み込むように配置してもよい。
【００２２】
図１では、サイドフラップ４６は、カバーシート５とサイドシート１２とにより構成されているが、バックシート３の外表面側に配置されたカバーシート５とは別体の不織布で形成されてもよい。
【００２３】
更に、本発明の使い捨ておむつは、体重の重い成人用のおむつに適している。使い捨ておむつを展開した状態で、長手方向長さが６０〜１５０ｃｍが好ましく、８０〜１３０ｃｍが更に好ましい。
【００２４】
このような構成の本発明の使い捨ておむつは、バックシートの外表面側に、毛羽立ちのし難いエンボス面を外表面としたカバーシートが配設されている。これにより、体重の重い寝たきりの人が着用する場合には、装着と取り外しを繰り返し行っても、こすれによるカバーシートの毛羽立ちが抑えられ、カバーシートの毛羽が衣服や布団に付着するという問題を解決することができる。
【００２５】
次に、本発明の使い捨ておむつにおいて使用される各構成部材について説明するが、本発明の使い捨ておむつは、これらによって何等制限されるものではない。
【００２６】
（１−１）カバーシート
本発明において、カバーシートは、少なくとも一方の面にエンボス面を有しており、エンボス面をおむつ外側にして配置されている。おむつ外側を向くエンボス面が配置される領域は、少なくとも着用者の臀部領域であり、好ましくは、おむつ長手方向吸収体下部領域である。おむつ長手方向吸収体下部領域とは、おむつ幅方向の中央部分に位置し、おむつ長手方向の両端部間に渡る帯状の領域であって、その幅が吸収体の幅と同じである領域をいう。吸収体の幅おむつを連続的に生産する観点から、長手方向に沿って連続的にエンボス面を外側にしたカバーシートが配置されていることが好ましい。着用者の側部領域となるサイドフラップ部分は、臀部領域に配置されているカバーシートの延長により構成されてもよいが、別体でもよく、特に限定されない。
【００２７】
カバーシートに施されるエンボスの面積率（エンボス面積率）は、５〜２０％の範囲であることが好ましく、さらには、７〜１５％であることがより好ましい。このような範囲にすることにより、繊維間接着強度を十分に高くしながら、柔軟で使い心地が良い使い捨ておむつとすることができる。エンボス面積率が５％未満では不織布の繊維間接着強度が十分に得られず、破れたり毛羽立ちが多くなるという問題が発生する。また、エンボス面積率が２０％を超えると不織布の繊維間接着強度は高くなり、破れや毛羽立ちは発生しないが、固い不織布となり、使い心地が悪くなる。ここで、エンボスの面積率とは、カバーシート全体の面積に対するエンボス加工が施された領域の面積の比率をいう。また、エンボス加工とは、熱エンボスロールによるエンボス加工である。
【００２８】
カバーシートとしては、ポリエチレン、ポリプロピレン、ポリエステル、その他の熱可塑性樹脂を原料とした合成繊維からなる不織布が用いられ、スパンボンド不織布のほか、カードエンボス不織布、ＳＭＳ不織布、ＳＭＭＳ不織布などが使用可能である。素材の強度やおむつ着脱時のシーツとのすべりなどの使用上の条件のほか、コストなどを総合的に考慮すると、スパンボンド不織布がもっとも好ましい。
【００２９】
カバーシートの目付は、１０〜３０ｇ／ｍ2であることが好ましい。カバーシートの目付が１０ｇ／ｍ2未満ではシートの強度が弱く、使用時に破れてしまうという問題が発生する。また、３０ｇ／ｍ2を超えるとシートが固くなって使い心地が悪くなるとともに、コストが不必要に高くなる等の問題が起こる。
【００３０】
（１−２）トップシート
トップシートは、着用者の肌との接触面側に配置されるシートである。トップシートは、その外表面側に配置された吸収体に、着用者の尿や体液を吸収させる必要から、少なくとも吸収体の上面（トップシートと接する面）近傍については、着用者の尿や体液を透過させ得る液透過性の材料によって構成される。換言すれば、吸収体の上面近傍が液透過性の材料によって構成されている限り、必ずしもトップシート全体が液透過性の材料で構成されている必要はない。
【００３１】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００３２】
（１−３）バックシート
バックシートは、吸収体よりも、おむつ外表面側に配置されるシートである。バックシートは、着用者の尿や体液がおむつ外部に漏洩してしまうことを防止する必要から、少なくとも吸収体の下面（バックシートと接する面）近傍については、液不透過性の材料によって構成される。
【００３３】
本発明において、液不透過性のバックシートとしては、微孔を形成したポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを張合わせた積層構造のシートを用いることもできる。
【００３４】
（１−４）吸収体
吸収体は、着用者の尿や体液を吸収し、保持するための部材であり、既述の両シート（即ち、表面シートと裏面シート）の間の少なくとも一部に介装される。より具体的には、吸収体は少なくとも股下部に介装され、この吸収体が腹部や背部にまで及んでいてもよい。吸収体は、着用者の尿や体液を吸収し保持する必要から、吸収性の材料によって構成される。
【００３５】
本発明において、吸収体としては、通常の使い捨ておむつのような吸収性物品に使用されるものであればいずれも使用することができる。すなわち、綿状パルプと高吸水性ポリマー（ＳＡＰ）を併用したもの、さらに熱融着性繊維を加えたもの等を使用することができ、全体をティシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型であっても良く、あるいは矩形であっても良い。
【００３６】
綿状パルプは、例えば、パルプシートを粉砕機で解繊することにより、その繊維長を５ｍｍ以下としたもの等を好適に用いることができる。この際に用いるパルプシートは、化学パルプシートでも機械パルプシートでもよく、そのパルプ原料についても、針葉樹、広葉樹、わら、竹、ケナフ、古紙等、通常パルプ原料として用いられるものであれば特に制限なく用いることができる。綿状パルプの使用量は、吸収体の構成により異なるが、５０〜４００ｇ／ｍ2とすることが一般的である。
【００３７】
ＳＡＰとしては、デンプン系、セルロース系、合成樹脂系のＳＡＰが知られており、これらのいずれを用いてもよい。具体的には、デンプン−アクリル酸（塩）グラフト共重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、ポリアクリル酸（塩）、アクリル酸で架橋されたポリエチレンオキシド、ナトリウムカルボキシメチルセルロースの架橋物、ポリビニルアルコール−無水マレイン酸反応物の架橋物等を用いることができる。中でも、自重の２０倍以上の水分を吸収し得る高い吸収性能を有する、ポリアクリル酸ナトリウムを用いることが好ましい。
【００３８】
親水性シートとしては、例えば、ティシュ、吸収紙、親水化処理を行った不織布等を挙げることができる。中でも、坪量が１０〜３０ｇ／ｍ2の範囲内のものを用いることが好ましい。
【００３９】
これらの吸収性材料は、通常、単層ないしは複層のマット状として用いられる。この際、前記の吸収性材料のうち１種を単独で用いてもよいし、２種以上を併用してもよい。中でも、綿状パルプを主体とし、ＳＡＰを併用したものが好ましい。この際、ＳＡＰは綿状パルプの各マット中に均一に混合されていてもよいし、複層の綿状パルプの層間に層状に配置されていてもよい。ＳＡＰの量は、乾燥した綿状パルプ１００質量部に対して１０〜５００質量部とすることが好ましく、１５〜３００質量部とすることがより好ましい。このような量とすることにより、ＳＡＰの粒子は相互の干渉が最小限に留められるため、粒子が透過障壁を形成することが少なく、尿や体液を３次元方向に透過させ、吸収させることが可能となる。
【００４０】
（１−５）ファスニングテープ
ファスニングテープは、紙おむつを着用者に対して装着させるためのテープである。おむつの背部と腹部とを相互に固定することで、おむつをパンツ形状とし、着用者に装着可能なものであれば特にその形状や構造について制限はない。
【００４１】
本発明において、ファスニングテープとしては、係合部が、鉤状、きのこ状、錨状等の各種の形状を有する、通常の使い捨ておむつのファスニングテープ等に使用されるものをそのまま使用することができる。また、ファスニングテープとしては、粘着テープ、メカニカルファスナー等のいずれを使用してもよい。
【００４２】
（１−６）伸縮材
本発明において、伸縮材としは、天然、合成ゴム、ウレタンなどの糸状、ひも状、ネット状、平型形状のものを設置位置に応じて用いることができる。弾性部材は、トップシート及び／又はバックシートに、接着剤等により固定することにより配設される。接着方法としては、ホットメルト、澱粉系またはＣＭＣ（カルボキシメチルセルロース）などの水溶性の糊又は、流動性の高い接着剤を用いてもよいし、熱や超音波等による溶着でも良い。
【００４３】
（１−７）立体ギャザー
本発明の使い捨ておむつには、おむつの長手方向に沿って、少なくとも股下部に、少なくとも一対の立体ギャザーが形成されることが好ましい。この立体ギャザーによって、着用者の尿や体液のおむつ外部への漏洩、特に、股下部からの漏れが効果的に防止される。
【００４４】
立体ギャザーを構成する材料としては、トップシートの項で例示した液透過性の材料を用いることもできるが、防漏性を向上させるため、撥水性の材料を用いることが好ましい。撥水性の素材としては、スパンボンドやカードエンボス等の不織布を用いることもできるが、耐水圧が高いという理由から、ＳＭＳ、ＳＭＭＳ等の不織布を用いることが好ましい。また、液透過性の材料や撥水性の材料に対して、プラスチックフィルムを貼り合わせた液不透過性の材料を用いてもよい。
【００４５】
立体ギャザーの高さは、５〜１００ｍｍとすることが好ましく、２０〜６５ｍｍとすることが更に好ましい。５ｍｍ以上とすることにより、十分な防漏効果を確保することができることに加え、１００ｍｍ以下とすることによって、立体ギャザーが吸収体表面を覆って吸収効果を阻害したり、立体ギャザーが上記伸縮材の外側にはみ出して、尿や体液のおむつ外部への流路となり、漏れの原因となったりする不具合を防止することができる。
【００４６】
一方、立体ギャザーの高さが１００ｍｍを超えるような場合には、立体ギャザーが、トップシート（ひいては吸収体）を覆ってしまったり、トップシート上に載置される尿取りパッドの下敷きになってしまったりすることに起因して、却って漏れトラブルの原因となるおそれがある。また、立体ギャザーが、上記伸縮材を超えておむつの外側にはみ出した場合等には、その部分に空隙（孔）が生じ、尿や体液のおむつ外部への流路が形成されるため、尿漏れの原因となってしまうおそれがある。
【００４７】
立体ギャザーには、立体ギャザー伸縮材を付設することが好ましい。立体ギャザー伸縮材としては、非伸長状態を１００％とした場合の伸長率が１３０〜５００％の範囲内の材料を用いることが好ましく、伸長率が２００〜３００％の範囲内の材料を用いることが更に好ましい。このような条件を満たす限り、構成材料や形状は特に限定されないが、例えば、天然ゴムや合成ゴム（ウレタンゴム等）等の弾性材から構成された糸ゴムや平ゴム、或いは伸縮性フィルム等を挙げることができる。これらの中では、糸ゴムが好ましい。なお、糸ゴムの太さとしては、３１０〜３７３０デシテックスのものが好ましく、４７０〜１２４０デシテックスのものが更に好ましい。平ゴムとしては、その幅が０．５〜５．０ｍｍのものが好ましく、０．８〜３．０ｍｍのものが更に好ましい。また、平ゴムの厚さは、０．１〜１．０ｍｍのものが好ましく、０．２〜０．５ｍｍのものが更に好ましい。
【００４８】
（２）テープ型おむつ製造方法
以下、本発明の使い捨ておむつが、テープ型おむつである場合の製造方法について、図１及び図２により説明する。予め施されたエンボス処理によりエンボス面を有する、カバーシート５の材料となる長尺シート材（カバーシート材）の、エンボス面を外側にして、その内側面（内表面）にバックシート３の材料となる長尺シート材（バックシート材）を貼り合わせ、更にその上面に、親水性シートに包まれた吸収体４及び脚周り伸縮材１１を貼り合わせ、更にその上面にトップシート２の材料となる長尺シート材（トップシート材）を貼り合わせることにより、おむつの中間体となる積層体を得る。この際、トップシート材は、センターシート１５に相当するトップシート材と、サイドシート１２に相当するトップシート材の２種類が使用される。サイドシート１２に相当するシート材には折り返し部分を設けることによって、立体ギャザー１３が形成される。
【００４９】
前記のようにして得られた積層体のおむつ脚周り開口部に相当する部分を円弧状に切り抜いて切除し（Ｒカット）、脚周り開口部を形成することにより、テープ型の使い捨ておむつ１を製造する。前記のような一連の工程は、機械的な手段によって連続的に行うことが可能である。例えば、長尺シート材をローラーから連続的に送出する等の方法・装置を採用することにより、テープ型おむつの連続製造が可能となり、生産性の向上に資する。
【００５０】
次に、本発明の使い捨ておむつが、パンツ型おむつである場合について説明する。
【００５１】
（３）パンツ型おむつ
パンツ型おむつは、着用者の排泄物を吸収し、保持する吸収・保持機能と、着用者の身体を被包する装着機能の双方を備えていることが必要である。具体的な構造としては、例えば、図３に示すパンツ型おむつ２１のように、前身頃２２、股下部２３及び後身頃２４の各部から構成され、前身頃２２と後身頃２４の対応する側縁部同士が接合されて、前身頃２２と後身頃２４との接合部２５、一つのウエスト周り開口部２６及び一対の脚周り開口部２７が形成されている。また、脚周り開口部２７に沿って配置された脚周り伸縮材２８、及びウエスト周り開口部２６に沿って配置されたウエスト周り伸縮材２９を更に備えている。また、おむつの腹周りには、腹周り伸縮材３０を備えている。ここで、「前身頃」は、着用者におむつを装着した際に、着用者の腹側（身体前方）を覆う部分を意味し、「股下部」は、着用者におむつを装着した際に、着用者の股下を覆う部分を意味し、「後身頃」は、着用者におむつを装着した際に、着用者の背側（身体後方）を覆う部分を意味するものとする。
【００５２】
そして、前身頃２２、股下部２３及び後身頃２４は、液透過性のトップシート３１と、その外表面側に配設された液不透過性のバックシートと、これら両シートの間に介在する吸収体と、上記バックシートの更に外表面側に配設されるカバーシート３２とから形成されている。そして、カバーシート３２は、不織布からなり、外表面にエンボス加工が施されたものである。
【００５３】
本発明の使い捨ておむつはパンツ型おむつの場合においても、テープ型おむつの場合と同様に、バックシートの外表面側に、エンボス加工を施して繊維間強度を強くした不織布からなるカバーシートを配設し、かつ、カバーシートのエンボス面が外表面を形成するように配置されているため、体重の重い寝たきりの人が着用する場合には、装着と取り外しを繰り返し行っても、こすれによるカバーシートの毛羽立ちが抑えられ、カバーシートの毛羽が衣服や布団に付着するという問題を軽減することができる。
【００５４】
（３−１）カバーシート
パンツ型おむつを構成するカバーシートの材質、目付、エンボス面積率等の各条件は、上記テープ型おむつで使用するカバーシートの場合と同様であることが好ましい。
【００５５】
（３−２）脚周り伸縮材
脚周り伸縮材２８としては、非伸長状態を１００％とした場合の伸長率が１３０〜５００％の範囲内の材料を用いることが好ましく、伸長率が２００〜３００％の範囲内の材料を用いることが更に好ましい。伸長率が１３０〜５００％の範囲内の材料を用いることによって、脚周り伸縮材２８は着用者の動きに追従して伸縮することが可能となる。従って、脚周りに隙間が形成され難くなり、脚周りからの尿漏れを効果的に防止することができる。一方、伸長率が１３０％未満の材料を用いた場合には、脚周り伸縮材２８の弾性力が不十分となり易いため、脚周りに隙間が形成され易いことに加え、着用者がおむつを履く際に、脚周り開口部を充分に開口させることが困難となり、おむつが履き難くなるおそれがある。また、伸長率が５００％を超える材料を用いた場合には、脚周り開口部が必要以上に縮小されるためにおむつを履き難くなるばかりか、着用者の脚周りを締め付け過ぎるため肌が赤くなる等のスキントラブルが発生するおそれがある。
【００５６】
このような条件を満たす限り、構成材料や形状は特に限定されないが、上記テープ型おむつに使用される立体ギャザー伸縮材の場合と同様の材料および形状とすることが好ましい。
【００５７】
なお、複数の脚周り伸縮材２８を用いる場合、その太さや伸張率等も目的に応じて、前記範囲の中から適宜設定すればよく、全て同じものを用いる必要はない。また、複数の脚周り伸縮材２８を用いる場合、その太さや伸張率等も目的に応じて適宜設定すればよく、全て同じものを用いる必要はない。
【００５８】
通常、脚周り伸縮材２８は、トップシート及び／又はバックシートに対して、接着剤その他の手段により固定される。固定方法としては、例えば、ホットメルト接着剤、澱粉系ないしカルボキシメチルセルロース（ＣＭＣ）のような水溶性の糊、その他の流動性の高い接着剤を用いた接着であってもよいし、熱や超音波等による溶着であってもよい。
【００５９】
（３−３）ウエスト周り伸縮材
ウエスト周り伸縮材２９を備えると、ウエスト周りに隙間が形成され難くなり、ウエスト周りからの尿漏れを防止することができるため好ましい。そして、着用者へのおむつのフィット性が良好となり、おむつのずり下がりが防止されるため好ましい。また、図３に示すパンツ型おむつ２１のように、着用者のウエスト周りに沿って配置された複数のウエスト周り伸縮材２９を備える構成も好ましい。なお、ウエスト周り伸縮材２９の構成材料や形状については、脚周り伸縮材２８と同様の構成を採用することができる。
【００６０】
（３−４）腹周り伸縮材
腹周り伸縮材３０を備えると、着用者の腹周りに伸縮性に富むタミーギャザーを形成することができ、おむつのフィット性やずり下がり防止効果を一層優れたものとすることができる。なお、腹周り伸縮材３０の構成材料や形状については、脚周り伸縮材２８と同様の構成を採用することができる。
【００６１】
（３−５）その他構成部材
パンツ型おむつを構成するトップシート、バックシート、吸収体等のその他の構成部材の材質等の条件については、特に限定されるものではなく、通常のパンツ型おむつに使用されるものと同様であればよい。上記テープ型おむつにおける共通の構成部材の材質等の条件と同じであってもよい。
【００６２】
（４）パンツ型おむつの製造方法
以下、本発明の使い捨ておむつが、パンツ型おむつである場合の製造方法について説明する。まず、予め施されたエンボス処理によりエンボス面を有する、カバーシートの材料となる長尺シート材（カバーシート材）の、エンボス面を外側にして、その内側面（内表面）にバックシートの材料となる長尺シート材（バックシート材）を貼り合わせ、更にその上面に、親水性シートに包まれた吸収体、脚周り伸縮材、ウエスト周り伸縮材及び腹周り伸縮材を載置し、更にその上面にトップシートの材料となる長尺シート材（トップシート材）を載置することにより、帯状の積層体を得る。
【００６３】
次に、得られた帯状の積層体の脚周り開口部に相当する部分を脚周り伸縮材に沿って打ち抜いて、略円形の開口部を形成する。これにより、図４に示すおむつ中間体４１が、複数個連続的に配置された構造を呈するおむつ連続体を得る。このおむつ連続体は、各おむつ中間体４１の後身頃４２の側縁部４４同士と、前身頃４３の側縁部４５同士がそれぞれ接続されて平面状（帯状）に連なるように形成されている。ここで、図４に示すおむつ中間体４１は、図３に示すパンツ型おむつ２１の接合部２５が切り離されて（接合されずに）展開された状態を示している。
【００６４】
上記おむつ連続体は、トップシートを内側にして、後身頃と前身頃とを合わせるように二つ折りにした後、後身頃と前身頃との接合部に相当する部分において、後身頃と前身頃とをヒートシール等の手段により接合する。おむつ連続体を上記接合部に相当する部分に沿って切り離すことによって、個別に分離された複数のパンツ型おむつを得る。これにより、後身頃と前身頃とが接合部において接合され、一つのウエスト周り開口部と、一対の脚周り開口部が形成されたパンツ型おむつを製造することができる。
【産業上の利用可能性】
【００６５】
本発明の使い捨ておむつは、介護を必要とする高齢者や障害者等の成人用のおむつとして好適に利用することが可能であり、乳幼児用のおむつとしても利用することが可能である。本発明の使い捨ておむつは、エンボス加工を施した不織布の繊維間接着強度が強くなっているため、体重の重い寝たきりの人が着用する場合に、装着と取り外しを繰り返して行っても、おむつ臀部のカバーシートがこすれて発生する毛羽立ちを抑え、カバーシートの毛羽が衣服や布団に付着するという問題を軽減することができるので、特に成人用として有効である。
【図面の簡単な説明】
【００６６】
【図１】本発明の使い捨ておむつがテープ型おむつである場合の実施形態を模式的に示す、トップシート側から見た一部切り欠き平面図である。
【図２】図１に示す使い捨ておむつをＸ−Ｘ'線に沿って切断した状態を示す断面図である。
【図３】本発明の使い捨ておむつがパンツ型おむつである場合の実施形態を模式的に示す斜視図である。
【図４】本発明の使い捨ておむつがパンツ型おむつである場合のおむつ中間体を模式的に示す平面図である。
【符号の説明】
【００６７】
１：使い捨ておむつ、２：トップシート、３：バックシート、４：吸収体、５：カバーシート、６：後身頃、７：ファスニングテープ、８：前身頃、９：フロントテープ、１０：股下部、１１：脚周り伸縮材、１２：サイドシート、１３：立体ギャザー、１４：エンボス面、１５：センターシート、２１：パンツ型おむつ、２２：前身頃、２３：股下部、２４：後身頃、２５：接合部、２６：ウェスト周り開口部、２７：脚周り開口部、２８：脚周り伸縮材、２９：ウエスト周り伸縮材、３０：腹周り伸縮材、３１：トップシート、３２：カバーシート、４１：おむつ中間体、４２：後身頃、４３：前身頃、４４，４５：側縁部、４６：サイドフラップ部分。
【図１】
2007029612.tif 000003
【図２】
2007029612.tif 000004
【図３】
2007029612.tif 000005
【図４】
2007029612.tif 000006